(57)【要約】【課題】本発明はクレセント用防犯システムに関し、室内に人の居ないときに、自動的にダブルロックが掛かるようになる防犯システムを構築することが課題である。【解決手段】窓枠に取り付けられるクレセント３と、室内４おいて前記窓枠の近傍に人の在・不在を検知するように所望の箇所に設けられる人検知手段６と、前記クレセントにおける内側窓枠に設けられる錠本体のレバー部に係合自在に設けられるとともに前記人検知手段に電気的に接続された制御部からの指令を受信して当該レバー部の解錠方向への回転を阻止するように阻止部材を駆動装置で阻止方向に駆動させ係合させる解錠阻止手段９とを有して構成されているクレセント用防犯システム１。【選択図】図１
2005232740.tif 000002
【特許請求の範囲】
【請求項１】
窓枠に取り付けられるクレセントと、
室内において前記窓枠の近傍に人の在・不在を検知するように所望の箇所に設けられる人検知手段と、
前記クレセントにおける内側窓枠に設けられる錠本体のレバー部に係合自在に設けられるとともに前記人検知手段に電気的に接続された制御部からの指令を受信して当該レバー部の解錠方向への回転を阻止するように阻止部材を駆動装置で阻止方向に駆動させ係合させる解錠阻止手段とを有して構成されていること、
を特徴とするクレセント用防犯システム。
【請求項２】
解錠阻止手段は、クレセントの近傍の窓枠に設けられるとともに、制御部の指令を無線で受信する受信装置が設けられていること、
を特徴とする請求項１に記載のクレセント用防犯システム。
【請求項３】
解錠阻止手段の阻止部材と錠本体のレバー部とは、連結桿を介して係合自在にされていること、
を特徴とする請求項１に記載のクレセント用防犯システム。
【発明の詳細な説明】
【技術分野】
【０００１】
本発明は、窓の施錠に用いられるクレセント用防犯システムに関するものである。
【背景技術】
【０００２】
従来、例えば、引き違い窓においては、クレセント式の錠前が多く使用される。この窓の防犯対策としては、クレセントを電気補助錠により、リモートコントロールで駆動装置によりクレセントが施錠されるようにしたものが知られている（特許文献１参照）。これにより、防犯予防を達成し、外出時や就寝時に確実に窓を施錠して、閉め忘れに対して警報表示を行うものである。
【特許文献１】特開２００３−２３２１４９号公報
【０００３】
しかし、クレセント式の錠前で施錠している引き違い窓では、クレセント近傍位置で、外側窓のガラスを石や工具等で割り、その割った箇所から指先等を差し入れてクレセントのレバー部を解錠方向に回して解錠させてしまうことが多い。そこで、従来において、ガラスが割られた衝撃でブザー等の大音響で周囲に泥棒の侵入を知らせるようにしたり、室内のセンサーが動きを感じ、警備会社に通報するようにしたりしている。このほか、図６に示すように、クレセント３に補助錠１５を設けて、ダブルロックにして、解錠までの時間を稼いで防犯対策としているものも知られている。
【０００４】
しかしながら、ブザーやセンサーは、通常の生活の中では、誤報による煩わしさを避けるため、セットしにくいものであり、長期に亘って家を空ける場合にのみ活用される。また、ダブルロックは忘れがちなりやすいばかりでなく、既製品ではダブルロックの取り付け位置が推定されやすく、２カ所目のガラスを割れば容易に侵入を許してしまう、という課題がある。
【発明の開示】
【発明が解決しようとする課題】
【０００５】
解決しようとする問題点は、クレセントの防犯システムをセットする煩わしさを解消し、アラームなどの操作ミスによる誤報等を防ぎ、ガラスを割ってクレセントを外側から解錠しようとしても回すことができないようにして時間を稼ぐことで防犯するようにできない点である。
【課題を解決するための手段】
【０００６】
本発明に係るクレセント用防犯システムは、窓枠に取り付けられるクレセントと、室内において前記窓枠の近傍に人の在・不在を検知するように所望の箇所に設けられる人検知手段と、前記クレセントにおける内側窓枠に設けられる錠本体のレバー部に係合自在に設けられるとともに前記人検知手段に電気的に接続された制御部からの指令を受信して当該レバー部の解錠方向への回転を阻止するように阻止部材を駆動装置で阻止方向に駆動させ係合させる解錠阻止手段とを有して構成されていることである。
【０００７】
前記解錠阻止手段は、クレセントの近傍の窓枠に設けられるとともに、制御部の指令を無線で受信する受信装置が設けられていること、；
前記解錠阻止手段の阻止部材と錠本体のレバー部とは、連結桿を介して係合自在にされていること、を含むものである。
【発明の効果】
【０００８】
本発明のクレセント用防犯システムは、室内に配設された人検知手段により、人の在・不在が確認されて、室内に人がいる場合のみ、クレセントの解錠が可能になるようにすることができる。よって、例えば、泥棒が外部からガラスを割ってクレセントを解錠させようとしても、室内側に人が居ないと解錠阻止手段によりクレセントのレバー部を解錠方向に回転させることができず、解錠に手間取っている間に時間が経過して、侵入をあきらめさせることができる。
【０００９】
また、室内側に人が存在すれば、自動的にクレセントを解錠できる状態になるので、クレセント用の従来におけるアラームシステムを解除したりセットしたりするなどの煩わしさが解消される。
【００１０】
更に、室内側の家人がクレセントを施錠して出かけるだけで、特に意識しなくてもクレセントが解錠されないように解錠阻止手段によってロックされるので、自動的にダブルロックとなる。
【００１１】
前記解錠阻止手段と人検知手段の制御部とを無線で信号を送受信させることで、煩わしい電線の配設が不要となり、窓枠の開閉が容易になる。
【００１２】
更に、解錠阻止手段の阻止部材と錠本体のレバー部とは、連結桿を介して係合自在にされていることにより、クレセントの近傍に解錠阻止手段が存在しないので、外から泥棒がこの解錠阻止手段に対して不正な操作をする事ができず、侵入が更にし難くなるものである。
【００１３】
また、この解錠阻止手段を窓枠の外に設けることで、窓枠に電源からの供給電線を配線する必要がなくなり、システム構成の施工工事が容易となる。
【発明を実施するための最良の形態】
【００１４】
本発明に係るクレセント用防犯システムにより、室内に人が居ない場合には自動的に、クレセントのダブルロックとなるようにすることが実現した。
【００１５】
図１は、本発明に係るクレセント用防犯システム１の第１実施例の構成を概略的に示す構成図である。図２は、その配置を示す説明図である。これについて説明すると、まず、窓枠２に取り付けられるクレセント３と、室内４において前記窓枠２の近傍に人５の在・不在を検知するように所望の箇所に設けられる人検知手段６と、前記クレセント３における内側窓枠に設けられる錠本体３ａのレバー部３ｂに係合自在に設けられるとともに前記人検知手段６に電気的に接続された制御部７からの送信装置８を介しての指令を、受信装置９ａで受信して当該レバー部３ｂの解錠方向への回転を阻止するように阻止部材９ｂを駆動装置９ｃで阻止方向に駆動させ係合させる解錠阻止手段９とを有して構成されている。
【００１６】
前記解錠阻止手段９は、クレセント３の近傍の窓枠（内側の窓枠）２に設けられ、制御部７の指令を無線で受信する受信装置９ａ及びバッテリーが設けられている構成としたが、これに限らず、他の実施例として、有線で接続しても良い。その場合には、前記窓枠２が開閉されることを考慮し、開閉移動分を余裕を持って弛ませた電線とする。
【００１７】
前記解錠阻止手段９における、阻止部材９ｂ等の具体的な構造は、例えば、図３（Ａ）に示すように、クレセントの錠本体３ａにおけるレバー部３ｂを更に延設して係合用の平板部３ｃを設け、この端部に係合するようにバネ１０で時計方向に回転するように付勢される阻止部材９ｂを設け、この阻止部材９ｂの一部に係合して反時計方向に回転させて、前記平板部３ｃとの係合を解除させる駆動装置としてのソレノイド９ｃを設けるものである。
【００１８】
前記駆動装置がＯＮされると、前記ソレノイド９ｃの引き込み操作（図中矢印方向への移動）により、バネ１０の付勢力に抗して阻止部材９ｂが反時計方向に支点１１を中心に回転されて、阻止部材９ｂの鉤部分が平板部３ｃの角部から外れる。
【００１９】
これにより、レバー部３ｂを解錠方向に回転させることが可能となり、解錠可能状態になるものである。この状態は、室内４に人５が存在している場合である。逆に人５が室内４に不在状態であれば、前記ソレノイド９ｃはＯＦＦとなって、バネ１０により阻止部材９ｂが支点１１を中心に時計方向に回転され、その鉤部分が平板部３ｃの角部に係合して、当該レバー部３ｂの解除方向への回転が阻止される。
【００２０】
なお、解錠阻止手段９は、頑丈なケース１２の中に収められており、レバー部３ｂの平板部３ｃは、当該ケース１２における、人の指が入り込めない細いスリット（図示せず）に入り込んでいるものである。
【００２１】
前記阻止部材９ｂの構成は、図３（Ｂ）に示すように、レバー部３ｂの平板部３ｃに設けた凹部３ｄに、棒状の阻止部材９ｂの一端部が出入りするように構成しても良く、その他、公知の手段を採用できるものである。
【００２２】
本発明の他の実施例として、図４に示すように、人検知手段６を例えば室内４の天井の略中央部に設けておいて、複数箇所の窓に近づく人５を把握できる検知範囲にして、この人検知手段６の送信装置８から、前記複数箇所のクレセント３の近傍に設けた各解錠阻止手段９における受信装置９ａに、人の在・不在のデータを夫々送信するように構成することができる。こうして、一つの人検知手段６で複数のクレセント３の解錠阻止手段９に対応させることができて、防犯システム全体のコスト低減となる。
【００２３】
本発明の第２実施例として、窓枠２のクレセント３から離れた位置に、例えば、窓の上部の室内４側の壁１３に、解錠阻止手段９を設けるようにする。そして、解錠阻止手段９の阻止部材９ｂと錠本体のレバー部とは、連結桿１４を介して係合自在にされているものである。
【００２４】
これにより、室内４に人５が居ない場合には、阻止部材９ｂが下位置に下りた状態になっていて、連結桿１４が衝突して上に上昇できなくなる。よって、ガラスを割ってクレセント３のレバー部３ｂを解錠方向に回転させようとしても前記連結桿１４が上昇できないので、当該レバー部３ｂを回転させることができない。これとは逆に、人５が室内４に居る場合には、人検知手段６により、阻止部材９ｂが上に引き上げられており、クレセント３のレバー部３ｂを解錠方向に回転させようとすると、連結桿１４が上昇することができて、回転させることができる。
【００２５】
前記連結桿１４の上端と、阻止部材９ｂの下部とは、直接的に連結されていないので、窓枠２を左右に開閉移動させることができるものである。なお、前記阻止部材９ｂの昇降には、公知の機械的手段が採用させれ、テコとレバーとの関係やウォームとウォームギアとの組み合わせ等による構成とするものである。
【００２６】
このように、解錠阻止手段９を、クレセント３から十分に離隔させることで、クレセント３の近傍部分には、電気・電子等の部品がなくなり、機械的な部品だけとなる。よって、窓枠２に電気配線をするという煩わしい工事が不要となり、本発明の防犯システムを構築しやすくなる。また、解錠阻止手段９が破壊されにくくなり、コストの高い部品の破壊が防止されて、ランニングコストも抑制される。
【図面の簡単な説明】
【００２７】
【図１】本発明に係るクレセント用防犯システム１の構成を概略的に示す説明図である。
【図２】同本発明のクレセント用防犯システム１の概略側面図である。
【図３】同クレセント３と解錠阻止手段９との関係を示す説明図（Ａ），（Ｂ）である。いずれも解錠阻止手段９の蓋ケースを取り外した状態で示してある。
【図４】他の実施例の概略構成を示す説明図である。
【図５】同本発明に係る第２実施例の構成を示す説明図である。
【図６】従来例に係る防犯システムを示す説明図である。
【符号の説明】
【００２８】
１    クレセント用防犯システム、
２    窓枠、
３    クレセント、  ３ａ  錠本体、  ３ｂ  レバー部、３ｃ  平板部、
４    室内
５    人、
６    人検知手段、
７    制御部、
８    送信装置、
９    解錠阻止手段、  ９ａ  受信装置、９ｂ  阻止部材、９ｃ  駆動装置、
１０  バネ、
１１  支点、
１２  ケース、
１３  壁、
１４  連結桿、
１５  補助錠。
【図１】
2005232740.tif 000003
【図２】
2005232740.tif 000004
【図３】
2005232740.tif 000005
【図４】
2005232740.tif 000006
【図５】
2005232740.tif 000007
【図６】
2005232740.tif 000008